(57)【特許請求の範囲】
【請求項１】
使用者の住戸に設置される親機と、親機との間で無線通信を行う端末機と、使用者の住戸から遠隔地に設置され電話回線により親機と接続されるセンタ装置とを備え、使用者の操作により端末機から親機に緊急通報要求が送信されると電話回線を介して親機からセンタ装置に緊急事態の発生を通報する緊急通報システムの端末機であって、親機との間で無線信号を送受信する送受信手段と、送受信手段を介してセンタ装置との間で通話を行う通話手段と、送受信手段を制御して親機に緊急通報要求を送信する制御手段と、２次電池を電源として各手段に動作電源を供給する電源供給手段と、外部から電源供給を受けて２次電池を充電する充電手段と、２次電池の残容量を検出する残容量検出手段と、使用者の操作に基づいて通話に関わるイベントが発生した時に残容量検出手段にて検出する残容量が所定の閾値を下回っていれば使用者に充電を促す充電要求を発生する充電要求発生手段とを具備し、充電要求発生手段は、一旦充電要求を発生してから残容量検出手段にて検出する残容量が所定の閾値を上回るまでの間、タイマ手段によりカウントする所定時間が経過する毎に充電要求を繰り返し発生するとともに通話に関わるイベントが発生する毎にタイマ手段のカウント動作をリセットすることを特徴とする緊急通報システムの端末機。
【請求項２】
充電要求発生手段は、通話に関わるイベントとして発呼の操作が行われた時に残容量検出手段にて検出する残容量が所定の閾値を下回っていれば充電要求を発生することを特徴とする請求項１記載の緊急通報システムの端末機。
【請求項３】
充電要求発生手段は、通話に関わるイベントとして親機を介してセンタ装置との間で通話を行っている時に残容量検出手段にて検出する残容量が所定の閾値を下回っていれば充電要求を発生することを特徴とする請求項１記載の緊急通報システムの端末機。
【請求項４】
充電要求発生手段は、通話に関わるイベントとして親機を介したセンタ装置との間の通話を終了する操作が行われた時に残容量検出手段にて検出する残容量が所定の閾値を下回っていれば充電要求を発生することを特徴とする請求項１記載の緊急通報システムの端末機。
【発明の詳細な説明】
【０００１】
【発明の属する技術分野】
本発明は、緊急通報システムの端末機に関するものである。
【０００２】
【従来の技術】
従来、図６に示すように使用者の住戸Ｈに設置される親機Ｂと、親機Ｂとの間で無線通信を行う端末機Ａ’と、使用者の住戸Ｈから遠隔地に設置され公衆電話回線網Ｎを介して親機Ｂと接続されるセンタ装置Ｓとを備え、使用者の操作により端末機Ａ’から親機Ｂに緊急通報要求が送信されると公衆電話回線網Ｎを介して親機Ｂからセンタ装置Ｓに緊急事態の発生を通報する緊急通報システムが提供されている。
【０００３】
端末機Ａ’は使用者が携帯するか、あるいは机上に設置されるものであって、動作用の電源に２次電池を利用している。このため、使用者の住戸Ｈには端末機Ａ’の２次電池を充電するための充電器Ｃが設置される。また、親機Ｂは少なくとも住戸Ｈ内を通信エリアとする無線通信機能を有し、公衆電話回線網Ｎを介して端末機Ａ’とセンタ装置Ｓとの間の通話サービスを提供するとともに、使用者の操作により端末機Ａ’から送信された緊急通報要求を受信すると自動的にセンタ装置Ｓの電話番号をＰＢ信号にて公衆電話回線網Ｎに送出する処理を行う（発呼処理）。
【０００４】
一方、センタ装置Ｓは汎用のパーソナルコンピュータ等からなり、公衆電話回線網Ｎを介して受信した呼出信号に応答して回線の接続処理を行うとともに、親機Ｂが設置されている住戸Ｈの居住者（使用者）の氏名や住所、過去の緊急通報要求の履歴等を管理するものである。また、センタ装置Ｓには一般の電話機等の通話装置Ｔが接続されており、センサ装置Ｓを操作するオペレータが通話装置Ｔを用いて端末機Ａ’との間で通話することができる。
【０００５】
ところで、端末機Ａ’では２次電池の残容量を監視しており、２次電池の残容量が所定の閾値を下回ると、例えば、「ピー」というような警告音や液晶表示部（図示せず）の警告表示等によって使用者に２次電池を充電するように促していた。
【０００６】
【発明が解決しようとする課題】
しかしながら、上述のような警告音や警告表示等の充電要求警告を発生するタイミングは２次電池の残容量が所定の閾値を下回った時点であり、端末機Ａ’の使用状況とは無関係であった。そのため、使用者が端末機Ａ’の液晶表示部の画面を頻繁に見るか、あるいは警告音の届く範囲に居なければならず上記充電要求警告に気付き難く、知らぬ間に２次電池の残容量の減少が加速してしまうような事態が発生し易くなり、残容量の減少がさらに進行すると端末機Ａ’による緊急通報や通話が不能になってしまうという問題がある。
【０００７】
本発明は上記問題に鑑みて為されたものであり、その目的とするところは、２次電池の残容量が減少して通話不能となる事態の発生を極力減らすことができる緊急通報システムの端末機を提供することにある。
【０００８】
【課題を解決するための手段】
請求項１の発明は、上記目的を達成するために、使用者の住戸に設置される親機と、親機との間で無線通信を行う端末機と、使用者の住戸から遠隔地に設置され電話回線により親機と接続されるセンタ装置とを備え、使用者の操作により端末機から親機に緊急通報要求が送信されると電話回線を介して親機からセンタ装置に緊急事態の発生を通報する緊急通報システムの端末機であって、親機との間で無線信号を送受信する送受信手段と、送受信手段を介してセンタ装置との間で通話を行う通話手段と、送受信手段を制御して親機に緊急通報要求を送信する制御手段と、２次電池を電源として各手段に動作電源を供給する電源供給手段と、外部から電源供給を受けて２次電池を充電する充電手段と、２次電池の残容量を検出する残容量検出手段と、使用者の操作に基づいて通話に関わるイベントが発生した時に残容量検出手段にて検出する残容量が所定の閾値を下回っていれば使用者に充電を促す充電要求を発生する充電要求発生手段とを具備し、充電要求発生手段は、一旦充電要求を発生してから残容量検出手段にて検出する残容量が所定の閾値を上回るまでの間、タイマ手段によりカウントする所定時間が経過する毎に充電要求を繰り返し発生するとともに通話に関わるイベントが発生する毎にタイマ手段のカウント動作をリセットすることを特徴とし、使用者が通話のために端末機を操作したときに充電要求を発生するから、使用者が充電要求に気付き易くなり、２次電池の残容量が減少して通話不能となる事態の発生を極力減らすことができる。また、使用者に対して充電要求をさらに気付かせ易くできる。さらに、様々な要因によって繰り返し充電要求を発生させるような場合において、様々な要因が連続して発生したとしても充電要求が乱発されることがない。その結果、使用者が頻繁に充電要求を受けるような煩わしさを感じることなく、２次電池の残容量の減少を知ることができる。
【０００９】
請求項２の発明は、請求項１の発明において、充電要求発生手段は、通話に関わるイベントとして発呼の操作が行われた時に残容量検出手段にて検出する残容量が所定の閾値を下回っていれば充電要求を発生することを特徴とし、使用者に対して充電要求をさらに気付かせ易くできる。
【００１０】
請求項３の発明は、請求項１の発明において、充電要求発生手段は、通話に関わるイベントとして親機を介してセンタ装置との間で通話を行っている時に残容量検出手段にて検出する残容量が所定の閾値を下回っていれば充電要求を発生することを特徴とし、使用者に対して充電要求をさらに気付かせ易くできる。
【００１１】
請求項４の発明は、請求項１の発明において、充電要求発生手段は、通話に関わるイベントとして親機を介したセンタ装置との間の通話を終了する操作が行われた時に残容量検出手段にて検出する残容量が所定の閾値を下回っていれば充電要求を発生することを特徴とし、使用者に対して充電要求をさらに気付かせ易くできる。
【００１４】
【発明の実施の形態】
本発明の実施形態を説明する前に、本発明と基本構成が共通である参考例について説明する。
（参考例１）
本参考例の端末機Ａは、従来例として説明した端末機Ａ’と同様に親機Ｂとセンタ装置Ｓとともに緊急通報システムを構成する。端末機Ａと親機Ｂは、例えばＰＨＳ（パーソナル・ハンディホン・システム）のようなディジタルコードレス電話システムの子機と基地局に相当し、親機Ｂがアナログ電話回線等を介して公衆電話回線網Ｎに接続される。そして、子機に相当する端末機Ａが基地局に相当する親機Ｂを通して公衆電話回線網Ｎに接続し、遠隔地に設置されたセンタ装置Ｓと端末機Ａとの間で公衆電話回線網Ｎを介して通話やデータ通信が可能となっている。なお、１台の親機Ｂに対応する端末機Ａの台数は複数であっても良い。
【００１５】
本参考例の端末機Ａは使用者が携帯したり、あるいは机上に置いて使用されるものであり、図１に示すように電源回路部１、アンテナ部２、無線回路部３、無線通信制御部４、音声信号処理部５、電気音響変換部６、出力部７、入力部８、第１の記憶部９、第２の記憶部１０、制御部１１、２次電池１２、充電回路部１３、残容量検出部１４、充電状態検出部１５並びに静電容量検出部１６を備える。
【００１６】
電源回路部１は２次電池の出力電圧を所望の直流電圧に変換し、各回路に対して動作電源を供給する。アンテナ部２は無線回路部３から出力される電気信号を電波として空中に伝搬させ、また、空中に伝搬する電波を電気信号として無線回路部３に伝える。無線回路部３は音声信号や制御信号を電波として伝播可能な周波数帯に変換し、また、電波として伝播されてきた周波数帯の信号を音声信号や制御信号に変換する。無線通信側御部４は例えばＴＤＭＡ／ＴＤＤ方式にて無線回線部３における通信制御を行う。
【００１７】
音声信号処理部５は例えはＰＣＭやＡＤＰＣＭのような音声符号化／複号化処理、エコーキャンセラ処理、ＤＴＭＦ信号発生／検出処理を行う。電気音響変換部６はマイク及びスピーカまたはハンドセットレシーバからなる。出力部７は例えば液晶表示器を具備し、端末機Ａ全体の動作モードの表示等を行う。入力部８は例えばキースイッチ等を具備し、端末機Ａ全体の動作モードの切り替え、発着呼のための操作等が行われる。第１の記憶部９は例えばＲＯＭで構成され、制御部１１で実行する制御プログラム等を記憶するものである。第２の記憶部１０は例えばＲＡＭで構成され、端末機Ａの動作状態等を随時記憶するものである。
【００１８】
制御部１１はＣＰＵで構成され、第１の記憶部９に記憶した制御プログラムを実行して端末機Ａ全体を統制するための制御を行う。２次電池１２は例えばニッケル水素電池、ニッカド電池あるいはリチウムイオン電池等からなる。充電回路部１３は充電電流を制限しながら充電器Ｃから供給される電力で２次電池１２を充電する。残容量検出部１４は２次電池１２の出力電圧（電池電圧）を検出し、所定の閾値に対して電池電圧が上回っているか、あるいは下回っているかを制御部１１に伝える。充電状態検出部１５は充電回路部１３が充電器Ｃと接続されているか否かを検出して制御部１１に伝える。静電容量検出部１６は例えば静電容量センサ等により端末機Ａが使用者の手に握られているか否かを検出して制御部１１に伝える。
【００１９】
一方、本参考例における親機Ｂは卓上や壁に設置されるものであり、図２に示すように電源回路部２１、アンテナ部２２、無線回路部２３、無線通信制御部２４、音声信号処理部２５、電話回線インタフェース（Ｉ／Ｆ）部２６、出力部２７、入力部２８、第１の記憶部２９、第２の記憶部３０、制御部３１を備える。
【００２０】
電源回路部２１は商用電源から供給する電源電圧（ＡＣ１００Ｖ）を所望の直流電圧に変換し、各部に対して動作電源を供給する。アンテナ部２２は無線回路部２３から出力される電気信号を電波として空中に伝搬させ、また、空中に伝搬する電波を電気信号として無線回路部２３に伝える。無線回路部２３は音声信号や制御信号を電波として伝播可能な周波数帯に変換し、また、電波として伝播されてきた周波数帯の信号を音声信号や制御信号に変換する。無線通信制御部２４は例えばＴＤＭＡ／ＴＤＤ方式にて無線回線部２３における通信制御を行う。
【００２１】
音声信号処理部２５は例えばＰＣＭやＡＤＰＣＭのような音声符号化／複号化処理、エコーキャンセラ処理、ＤＴＭＦ信号発生／検出処理を行う。電話回線Ｉ／Ｆ部２６は例えばアナログ電話回線に適合した２線−４線変換、直流ループ閉結、ダイヤルパルス信号の送信、着信検出等を行う。出力部２７は例えば液晶表示器を具備し、親機Ｂ全体の動作モードの表示等を行う。入力部２８は例えばキースイッチ等を具備し、親機Ｂ全体の動作モードの切り替え等が行われる。第１の記憶部２９は例えばＲＯＭで構成され、制御部３１で実行する制御プログラム等を記憶するものである。第２の記憶部３０は例えばＲＡＭで構成され、親機Ｂの動作状態等を随時記憶するものである。制御部３１はＣＰＵで構成され、第１の記憶部２９に記憶した制御プログラムを実行して親機Ｂ全体を統制するための制御を行う。
【００２２】
なお、センタ装置Ｓは在宅介護サービス等を提供する業者の施設に設置され、例えばアナログ電話回線を介して公衆電話回線網Ｎに接続される。一方、親機Ｂは上記業者と契約した住戸Ｈに設置され、アナログ電話回線を介して公衆電話回線網Ｎに接続し、センタ装置Ｓとの間で音声やデータのやり取りを行う。また、端末機Ａは住戸Ｈに居住し介護対象となる高齢者（使用者）が常時携帯するか、あるいは机上に設置して使用される。
【００２３】
次に、この緊急通報システムの動作を簡単に説明する。例えば、使用者が体に不調を来した場合に端末機Ａの入力部８が具備する発呼スイッチ（図示せず）を使用者が押操作すると、端末機Ａの制御部１１が無線通信制御部４に制御信号を送り、この制御信号に応じて無線通信制御部４が無線回路部３を制御して無線信号による緊急通報要求を親機Ｂに送信する。親機Ｂではアンテナ部２２で受信した無線信号を無線回路部２３にて緊急通報要求の信号に変換して制御部３１に送る。制御部３１では緊急通報要求を受け取ると第２の記憶部３０からセンタ装置Ｓの電話番号を読み出し、電話回線Ｉ／Ｆ部２６を制御してセンタ装置Ｓの電話番号をダイヤルパルス信号で送信する発呼処理を行う。センタ装置Ｓでは親機Ｂからの呼出に応答してアナログ電話回線を介して公衆電話回線網Ｎに接続し、親機Ｂを通して端末機Ａとの通話が可能となる。また、センタ装置Ｓは呼の着信時に公衆電話回線網Ｎから通知される発信者番号に基づいて多数の契約者の中から緊急通報のあった契約者（使用者）を特定し、その契約者に関するデータ（契約者の氏名、年齢、住所、緊急通報の履歴、病歴、緊急連絡先等のデータ）を画面に表示する。そして、センタ装置Ｓを操作するオペレータが上記データを参照して緊急通報を行った使用者と通話し、発生した緊急事態の内容に応じた適切な処置、例えば住戸Ｈの管内の消防署に救急車の派遣を要請する。なお、本参考例の端末機Ａは緊急事態の発生時に限らず、例えば一人暮らしの高齢者が他人と話をしたい場合や、上記業者が提供する健康相談サービス等を利用したい場合、端末機Ａの発呼スイッチを操作して親機Ｂを介してセンタ装置Ｓに電話をかけ、センサ装置Ｓを操作するオペレータと通話することが可能である。
【００２４】
ところで、ディジタルコードレス電話システムでは端末機Ａが親機Ｂから送信される制御信号を常時モニタする必要があるため、非充電時には２次電池１２の残容量が時間経過とともに徐々に減少する。したがって、緊急事態の発生に備えるには、２次電池１２の残容量不足で端末機Ａが動作不能となる前に充電器Ｃを使って２次電池１２を充電する必要があり、使用者に充電を促すために端末機Ａから充電要求を発生するのである。
【００２５】
次に、図３のフローチャートを参照して本参考例の端末機Ａにおける充電要求発生の動作を説明する。
【００２６】
制御部１１は入力部８における発呼スイッチ等の操作スイッチの操作状態や音声信号処理部５における通話状態等を割り込み処理やポーリング処理により常時監視しており、使用者の操作に基づいて通話に関わるイベントが発生するまでは充電要求を発生しない。そして、上記イベントが発生した場合、すなわち入力部８の発呼スイッチが押操作されたことを検知した場合、あるいは無線通信制御部４により上記発呼処理を経て相手先との通話が確立されたことを検知した場合、あるいは入力部８が具備する通話終了スイッチ（図示せず）が押操作されたことを検知した場合、制御部１１は残容量検出部１４から２次電池１２の残容量の検出値を取り込んで所定の閾値（例えば、定格容量を１０００ｍＡｈとしたときにその半分の５００ｍＡｈ）と比較し、検出された残容量が上記閾値を上回っていれば充電要求を発生しない。なお、通話に関係のない操作が行われた場合にも充電要求を発生しない。
【００２７】
一方、検出された残容量が上記閾値を下回っている場合、制御部１１は第１の記憶部９に記憶しているメッセージデータを読み出し、音声信号処理部５を制御して出力部７から音声による充電要求（例えば、「充電してください」というようなメッセージ）を発生して使用者に充電を行うように促す。そして、充電要求の発生後、制御部１１はそれぞれのイベントの処理、例えば発呼処理や通話処理を続行する。なお、人語によるメッセージの代わりにビープ音によって充電要求を行ったり、あるいは出力部７に設けたＬＥＤ等の発光素子を発光することで光による充電要求を行っても良い。
【００２８】
本参考例は上述のように構成したものであり、使用者が通話のために端末機Ａを操作したときに充電要求を発生するから、使用者が充電要求に気付き易くなり、２次電池１２の残容量が減少して通話不能となる事態の発生を極力減らすことができる。
【００２９】
（参考例２）
本参考例の端末機Ａは、一旦充電要求を発生してから残容量検出部１４にて検出する残容量が閾値を上回るまでの間、タイマ（例えば、制御部１１の内蔵タイマ）によりカウントする所定時間が経過する毎に充電要求を繰り返し発生する点に特徴がある。但し、本参考例の端末機Ａの構成は参考例１と同一であるから図示並びに説明は省略する。
【００３０】
次に、図４のフローチャートを参照して本参考例の端末機Ａにおける充電要求発生の動作を説明する。
【００３１】
通話に関わる上記何れかのイベントが発生した場合、制御部１１が残容量検出部１４から２次電池１２の残容量の検出値を取り込んで閾値と比較し、検出された残容量が上記閾値を上回っていれば充電要求を発生せず、検出された残容量が上記閾値を下回っている場合、内蔵するタイマにより所定の繰り返し時間（例えば、３０分）のカウントを開始するとともに、第１の記憶部９からメッセージデータを読み出し、音声信号処理部５を制御して出力部７から音声による充電要求を発生して使用者に充電を行うように促す。そして、充電要求の発生後、制御部１１はそれぞれのイベントの処理、例えば発呼処理や通話処理を続行する。なお、タイマは発生したイベント毎に独立して繰り返し時間をカウントする。
【００３２】
さらに、制御部１１が何れかのタイマによる繰り返し時間のカウント終了を検知すると、残容量検出部１４から２次電池１２の残容量の検出値を取り込んで閾値と比較し、検出された残容量が上記閾値を上回っていれば充電要求を発生せずに全てのタイマをクリアして繰り返し時間のカウントを停止する。一方、検出された残容量が上記閾値を下回っている場合、制御部１１は内蔵するタイマをリセットして再度繰り返し時間のカウントを開始するとともに、第１の記憶部９からメッセージデータを読み出し、音声信号処理部５を制御して出力部７から音声による充電要求を発生して使用者に充電を行うように促す。以降、２次電池１２が充電されて何れかの繰り返し時間の経過時点で残容量が閾値を上回るまで上記処理が繰り返される。なお、人語によるメッセージの代わりにビープ音によって充電要求を行ったり、あるいは出力部７に設けたＬＥＤ等の発光素子を発光することで光による充電要求を行っても良い。
【００３３】
本参考例は上述のように構成したものであり、残容量が閾値を上回るまでの間、タイマによりカウントする繰り返し時間が経過する毎に充電要求を繰り返し発生するので、使用者に対して充電要求をさらに気付かせ易くできる。
【００３４】
（実施形態）
本実施形態の端末機Ａは、一旦充電要求を発生してから残容量検出部１４にて検出する残容量が閾値を上回るまでの間、タイマによりカウントする繰り返し時間が経過する毎に充電要求を繰り返し発生するとともに、上記イベントが発生する毎にタイマのカウント動作をリセットする点に特徴がある。但し、本実施形態の端末機Ａの構成は参考例１と同一であるから図示並びに説明は省略する。
【００３５】
次に、図５のフローチャートを参照して本実施形態の端末機Ａにおける充電要求発生の動作を説明する。
【００３６】
制御部１１は発呼スイッチが押操作されたことを検知すると残容量検出部１４から２次電池１２の残容量の検出値を取り込んで閾値と比較し、検出された残容量が上記閾値を上回っていれば充電要求を発生せず、検出された残容量が上記閾値を下回っている場合、内蔵するタイマ（これを「第１のタイマ」と呼ぶ）により所定の繰り返し時間（例えば、３０分）のカウントを開始するとともに、第１の記憶部９からメッセージデータを読み出し、音声信号処理部５を制御して出力部７から音声による充電要求を発生して使用者に充電を行うように促す。そして、充電要求の発生後、制御部１１は発呼処理を続行する。
【００３７】
さらに、制御部１１は通話が確立されたことを検知すると残容量検出部１４から２次電池１２の残容量の検出値を取り込んで閾値と比較し、検出された残容量が上記閾値を上回っていれば充電要求を発生せず、検出された残容量が上記閾値を下回っている場合、内蔵するタイマ（これを「第２のタイマ」と呼ぶ）により所定の繰り返し時間（例えば、３０分）のカウントを開始するとともに、第１の記憶部９からメッセージデータを読み出し、音声信号処理部５を制御して出力部７から音声による充電要求を発生して使用者に充電を行うように促す。そして、充電要求の発生後、制御部１１は通話処理を続行する。
【００３８】
その後、制御部１１は第１のタイマによる繰り返し時間のカウント終了を検知すると、まず２次電池１２の残容量をチェックし、仮に残容量検出部１４で検出された残容量が上記閾値を下回っている場合、第１の記憶部９からメッセージデータを読み出し、音声信号処理部５を制御して出力部７から音声による充電要求を発生するとともに、第１のタイマによる繰り返し時間のカウントをリトリガし、さらに第２のタイマを停止する。なお、制御部１１は通話終了スイッチが押操作されたことを検知した場合に内蔵するタイマ（これを「第３のタイマ」と呼ぶ）により繰り返し時間のカウントを開始し、例えば第１又は第２のタイマによる繰り返し時間のカウント終了を検知したら第２及び第３のタイマ、あるいは第３のタイマを停止する。
【００３９】
本実施形態は上述のように構成したものであり、通話に関わるイベントが発生する毎にタイマ（第１〜第３のタイマ）のカウント動作をリセットするので、様々な要因によって繰り返し充電要求を発生させるような場合において、様々な要因が連続して発生したとしても充電要求が乱発されることがないから、使用者が頻繁に充電要求を受けるような煩わしさを感じることなく、２次電池１２の残容量の減少を知ることができる。
【００４０】
【発明の効果】
請求項１の発明は、使用者の住戸に設置される親機と、親機との間で無線通信を行う端末機と、使用者の住戸から遠隔地に設置され電話回線により親機と接続されるセンタ装置とを備え、使用者の操作により端末機から親機に緊急通報要求が送信されると電話回線を介して親機からセンタ装置に緊急事態の発生を通報する緊急通報システムの端末機であって、親機との間で無線信号を送受信する送受信手段と、送受信手段を介してセンタ装置との間で通話を行う通話手段と、送受信手段を制御して親機に緊急通報要求を送信する制御手段と、２次電池を電源として各手段に動作電源を供給する電源供給手段と、外部から電源供給を受けて２次電池を充電する充電手段と、２次電池の残容量を検出する残容量検出手段と、使用者の操作に基づいて通話に関わるイベントが発生した時に残容量検出手段にて検出する残容量が所定の閾値を下回っていれば使用者に充電を促す充電要求を発生する充電要求発生手段とを具備し、充電要求発生手段は、一旦充電要求を発生してから残容量検出手段にて検出する残容量が所定の閾値を上回るまでの間、タイマ手段によりカウントする所定時間が経過する毎に充電要求を繰り返し発生するとともに通話に関わるイベントが発生する毎にタイマ手段のカウント動作をリセットするので、使用者が通話のために端末機を操作したときに充電要求を発生するから、使用者が充電要求に気付き易くなり、２次電池の残容量が減少して通話不能となる事態の発生を極力減らすことができ、また、使用者に対して充電要求をさらに気付かせ易くでき、さらに、様々な要因によって繰り返し充電要求を発生させるような場合において、様々な要因が連続して発生したとしても充電要求が乱発されることがないから、使用者が頻繁に充電要求を受けるような煩わしさを感じることなく、２次電池の残容量の減少を知ることができるという効果がある。
【００４１】
請求項２の発明は、請求項１の発明において、充電要求発生手段は、通話に関わるイベントとして発呼の操作が行われた時に残容量検出手段にて検出する残容量が所定の閾値を下回っていれば充電要求を発生するので、使用者に対して充電要求をさらに気付かせ易くできるという効果がある。
【００４２】
請求項３の発明は、請求項１の発明において、充電要求発生手段は、通話に関わるイベントとして親機を介してセンタ装置との間で通話を行っている時に残容量検出手段にて検出する残容量が所定の閾値を下回っていれば充電要求を発生するので、使用者に対して充電要求をさらに気付かせ易くできるという効果がある。
【００４３】
請求項４の発明は、請求項１の発明において、充電要求発生手段は、通話に関わるイベントとして親機を介したセンタ装置との間の通話を終了する操作が行われた時に残容量検出手段にて検出する残容量が所定の閾値を下回っていれば充電要求を発生するので、使用者に対して充電要求をさらに気付かせ易くできるという効果がある。
【図面の簡単な説明】
【図１】本発明の参考例１を示すブロック図である。
【図２】同上における親機のブロック図である。
【図３】同上の充電要求発生の動作説明図である。
【図４】本発明の参考例２の充電要求発生の動作説明図である。
【図５】本発明の実施形態の充電要求発生の動作説明図である。
【図６】緊急通報システムの概略構成図である。
【符号の説明】
７ 出力部
８ 入力部
１０ 第２の記憶部
１１ 制御部
１２ ２次電池
１４ 残容量検出部
【図１】
0004348858.tif 000002
【図２】
0004348858.tif 000003
【図３】
0004348858.tif 000004
【図４】
0004348858.tif 000005
【図５】
0004348858.tif 000006
【図６】
0004348858.tif 000007